(57)【要約】【課題】カラーインキに対する黒色インキの影響を考慮して、カラーインキだけを分光測定することで、印刷物における色合いを評価できるようにした印刷面分光測定方法を提供すること。【解決手段】  黒色インキを含む複数のインキを使用して印刷が施されているカラー印刷物における印刷面を分光測定する方法であって、赤外波長領域内における反射率から黒色インキ成分の有無を確認すると共に、黒色インキ成分基準分光値として設定し、可視光の波長領域に出現する反射率における黒色インキに基づく反射率を算出して、各インキの真正反射率を特定するか、或いは黒色インキを含む領域を除外する印刷面分光測定方法とする。【選択図】図２
2014092368.tif 000002
【特許請求の範囲】
【請求項１】
黒色インキを含む複数のインキを使用して印刷が施されているカラー印刷物における印刷面を分光測定する方法であって、
７８０ｎｍを超える波長領域を含む領域で印刷面の全部または一部を光電的に走査して、測定波長領域内における反射率からなる分光測定結果を、分光測定位置と関連付けて取得する分光測定ステップと、
前記分光測定結果から、７８０ｎｍを超える波長領域に出現する反射率のピークの有無を判定すると共に、当該ピークが存在する場合には、その反射率からなる黒色インキ成分分光結果を、分光測定位置と関連付けて取得する黒色インキ成分分光結果取得ステップと、
前記分光測定結果から、７８０ｎｍを超える波長領域に出現する反射率のピークが最大で、且つ３８０ｎｍ以上で７８０ｎｍ以下の波長領域に出現する反射率のピークの平均値が最も低い分光測定結果を黒色インキ成分基準分光値として設定する黒色インキ成分基準分光値設定ステップと、
前記分光測定結果から、黒色インキ成分分光結果の７８０ｎｍを超える波長領域に出現する反射率のピークにおける反射率と、黒色インキ成分基準分光値における７８０ｎｍを超える波長領域に出現する反射率のピークにおける反射率との比から、黒色インキ成分分光結果の３８０ｎｍ以上で７８０ｎｍ以下の波長領域に出現する反射率における黒色インキに基づく反射率を算出して、これを黒色インキ成分分光結果の３８０ｎｍ以上で７８０ｎｍ以下の波長領域に出現する反射率から減じて真正反射率を特定する真正反射率算出ステップとからなる、印刷面分光測定方法。
【請求項２】
黒色インキを含む複数のインキを使用して印刷が施されているカラー印刷物における印刷面を分光測定する方法であって、
７８０ｎｍを超える波長領域を含む領域で印刷面の全部または一部を光電的に走査して、測定波長領域内における反射率からなる分光測定結果を、分光測定位置と関連付けて取得する分光測定ステップと、
前記分光測定結果から、７８０ｎｍを超える波長領域に出現する反射率のピークの有無を判定して、黒色インキ成分分光結果を分光測定位置と関連付けて取得する黒色インキ成分分光結果取得ステップと、
黒色インキ成分分光結果取得ステップで取得した黒色インキ成分分光結果のうち、７８０ｎｍを超える波長領域に出現する反射率のピークが存在しない分光測定位置を特定すると共に、当該分光測定位置に対応する分光測定結果を、前記分光測定ステップで取得した分光測定結果から取得することにより真正反射率を特定する真正反射率算出ステップとからなる、印刷面分光測定方法。
【請求項３】
前記黒色インキ成分分光結果取得ステップは、
前記分光測定結果から、７８０ｎｍを超える波長領域に出現する反射率のピークが存在する場合に、その反射率からなる黒色インキ成分分光結果を、分光測定位置と関連付けて取得し、
更に、前記分光測定結果から、７８０ｎｍを超える波長領域に出現する反射率のピークが最大で、且つ３８０ｎｍ以上で７８０ｎｍ以下の波長領域に出現する反射率のピークの平均値が最も低い分光測定結果を黒色インキ成分基準分光値として設定する黒色インキ成分基準分光値設定ステップを具備し、
前記真正反射率算出ステップは、前記分光測定結果から、黒色インキ成分分光結果の７８０ｎｍを超える波長領域に出現する反射率のピークにおける反射率と、黒色インキ成分基準分光値における７８０ｎｍを超える波長領域に出現する反射率のピークにおける反射率との比から、黒色インキ成分分光結果の３８０ｎｍ以上で７８０ｎｍ以下の波長領域に出現する反射率における黒色インキに基づく反射率を算出して、これを黒色インキ成分分光結果の３８０ｎｍ以上で７８０ｎｍ以下の波長領域に出現する反射率から減じて真正反射率を特定する、請求項２に記載の印刷面分光測定方法。
【請求項４】
更に、前記分光測定結果から、７８０ｎｍを超える波長領域に反射率のピークが存在せず、且つ３８０ｎｍ以上で７８０ｎｍ以下の波長領域に出現する反射率のピークの平均値が最も高い分光測定結果を印刷紙基準分光値として設定する印刷紙基準分光値設定ステップを含み、
前記分光測定ステップにおける分光測定結果、黒色インキ成分分光結果取得ステップにおける黒色インキ成分分光結果、および真正反射率算出ステップにおける真正反射率の少なくとも何れかから、前記印刷紙基準分光値に基づいて算出した値を減算する、請求項１〜３の何れか一項に記載の印刷面分光測定方法。
【請求項５】
黒色インキを含む複数のインキを使用して印刷が施されているカラー印刷物の評価方法であって、
基準となるカラー印刷物における印刷面の分光測定結果と、評価対象となるカラー印刷物における印刷面の分光測定結果との対比によりカラー印刷物の評価が実施され、
当該各印刷面の分光測定結果は、請求項１〜４の何れか一項に記載の印刷面分光測定方法によって測定される、カラー印刷物の評価方法。
【請求項６】
黒色インキを含む複数のインキを使用して印刷が施されているカラー印刷物を分光測定する分光測定装置であって、
少なくともカラー印刷物を照射する光源部と、カラー印刷物からの反射光を分光する分光部と、分光部分で取得した分光値に基づいて演算を行う演算処理部とからなり、
当該演算処理部は、請求項１〜４の何れか一項に記載の印刷面分光測定方法を実行する、カラー印刷物の分光測定装置。
【発明の詳細な説明】
【技術分野】
【０００１】
本発明は印刷面を分光法によって評価する方法に関し、特にＣＭＹＫカラー印刷において、シアン、マゼンタ、イエローの配合を的確に分析・評価する方法に関する。
【背景技術】
【０００２】
オフセット・カラー印刷機には、高度な色調（色合わせ）制御が求められている。したがって従前においては、インキ供給を正確に制御する為に、印刷面の印刷領域外等にカラースケールを設け、このカラースケールを分光測色計で測定することにより、色調の制御等を行っていた。しかしながら、このようなカラースケールを用いる場合には、当該カラースケールを設ける為に、印刷物上に余分な領域を設けることが必要となる。また印刷後の切断等の余計な手間がかかり、切断された紙はむだ紙になる。
【０００３】
そこで近年では、このようなカラースケールを用いないで、前述の様な無駄をなくした印刷技術も提案されている。
【０００４】
例えば特許文献１（特開２０００−３０１６９７号公報）では、その背景技術として、カラースケールを用いない印刷装置の例を示している。即ち、「１点色計測器を２次元走査装置により走査して、任意の位置に移動させた１点色計測器によりその１点の色を直接に計測している」第１の公知装置と、「並列に並べられた色計測器を１次元走査機構により走査することにより、紙面上の絵柄の全体を一度に計測することができる印刷装置である」第２の公知装置が示されている。
【０００５】
また、カラー印刷機においては、ブラック、シアン、マゼンタ、イエローの４色のインキを使用して印刷を行う事も知られている。かかる４色のインキを使用した印刷では、黒色を印刷する場合には、ブラックインキを使用する場合も有れば、シアン、マゼンタ、イエローを減算混合により表わす場合もある。
【０００６】
そしてこのような印刷についての色度値グラジエントの検出方法としては、特許文献２（特開平１１−２１６８４７号公報）が提案されている。この特許文献２では、印刷に関与する印刷インキの層厚の変化時に印刷画像の画素の色度値グラジエントの検出方法であって、該方法の際に、スペクトルの可視領域内の前記画素を光電的に走査し、該走査時に形成された走査信号から前記色度値グラジエントを導出するようにした色度値グラジエントの検出方法において、スペクトルの可視領域の走査信号から、近似的に感覚に応じた等間隔表色系の色度座標（Ｌ，ａ，ｂ）を形成し、画素を、付加的に前記スペクトルの近赤外線領域で光電的に走査し、前記近赤外線領域の走査信号から、少なくとも１つの赤外線値を形成し、前記色度座標と前記少なくとも１つの赤外線値とから色度値グラジエントを算出する方法が提案されている。
【先行技術文献】
【特許文献】
【０００７】
【特許文献１】特開２０００−３０１６９７号公報
【特許文献２】特開平１１−２１６８４７号公報
【発明の概要】
【発明が解決しようとする課題】
【０００８】
上記のように、特許文献１ではカラースケールを用いることなく、紙面上の絵柄の全体を一度に計測する印刷技術を提案しており、また特許文献２では、前述の構成により、多色刷りでの黒成分の問題点によって、印刷インキの黒色自体のみならず、上下に重ね塗りしたそれ以外のカラーインキの多色も黒成分に寄与するという問題を解決している。
そこで本発明は、このカラーインキに対する黒色インキの影響を考慮して、カラーインキだけを分光測定することで、印刷物における色合いを評価できるようにした印刷面分光測定方法を提供することを第一の課題とする。
【０００９】
更に印刷物における印刷面の評価に際して、印刷面におけるカラーインキの各色成分の使用量や配合割合をより正確に測定するには、紙などの印刷媒体自体の色又は反射率を考慮しなければならない。
そこで本発明は、紙などの印刷媒体自体の色又は反射率を基準値として取得し、この基準値を考慮した上で、印刷面を分光するようにした印刷面分光測定方法を提供することを第二の課題とする。
【００１０】
また、前記特許文献２では、スペクトルの可視領域内の前記画素を光電的に走査した上で、更に付加的に前記スペクトルの近赤外線領域で光電的に走査することが必要になっており、即ち２回の走査が必要になっている。
しかしながら、大量の印刷物が高速で印刷される場合、例えばオフセット印刷等に於いては、１つの印刷面を２回走査するとなると、印刷面の分光測定のスピードが印刷速度よりも大幅に遅くなってしまい、印刷面の分光測定の適正化を図るのが困難である。
そこで本発明では、１回の走査で印刷面の一部または全体を分光測定することのできる印刷面分光測定方法を提供することを第三の課題とする。
【００１１】
更に前記特許文献２では、多色刷りでの黒成分の使用による色度値グラジエントの検出方法の問題を取り上げているが、黒色といえども様々な色調があり、その反射率も異なる事が考えられる。
そこで本発明では、印刷に際して実際に使用している黒色の反射率を、前記のカラースケールを用いることなく測定し、より正確にカラー印刷物を評価することのできるカラー印刷物の評価方法を提供することを第四の課題とする。
【課題を解決するための手段】
【００１２】
上記課題の少なくとも何れかを解決する為、本発明ではカラー印刷物の印刷面から黒色インキの有無等を判断して、その結果に基づいて黒色インキによる影響を除外したカラー印刷物の評価方法を提供するものである。
【００１３】
即ち本発明では、黒色インキを含む複数のインキを使用して印刷が施されているカラー印刷物における印刷面を分光測定する方法であって、７８０ｎｍを超える波長領域（特に９００ｎｍ前後における波長領域）を含む領域で印刷面の全部または一部を光電的に走査して、測定波長領域内における反射率からなる分光測定結果を、分光測定位置と関連付けて取得する分光測定ステップと、前記分光測定結果から、７８０ｎｍを超える波長領域（特に９００ｎｍ前後における波長領域）に出現する反射率のピークの有無を判定すると共に、当該ピークが存在する場合には、その反射率からなる黒色インキ成分分光結果を、分光測定位置と関連付けて取得する黒色インキ成分分光結果取得ステップと、前記分光測定結果から、７８０ｎｍを超える波長領域（特に９００ｎｍ前後における波長領域）に出現する反射率のピークが最大で、且つ３８０ｎｍ以上で７８０ｎｍ以下の波長領域に出現する反射率のピークの平均値が最も低い分光測定結果を黒色インキ成分基準分光値として設定する黒色インキ成分基準分光値設定ステップと、前記分光測定結果から、黒色インキ成分分光結果の７８０ｎｍを超える波長領域に出現する反射率のピークにおける反射率と、黒色インキ成分基準分光値における７８０ｎｍを超える波長領域（特に９００ｎｍ前後における波長領域）に出現する反射率のピークにおける反射率との比から、黒色インキ成分分光結果の３８０ｎｍ以上で７８０ｎｍ以下の波長領域に出現する反射率における黒色インキに基づく反射率を算出して、これを黒色インキ成分分光結果の３８０ｎｍ以上で７８０ｎｍ以下の波長領域に出現する反射率から減じて真正反射率を特定する真正反射率算出ステップとからなる、印刷面分光測定方法を提供する。即ち、７８０ｎｍを超える波長領域、特に９００ｎｍ前後における波長領域におけるピークの出現の有無から、黒色インキの有無を確認して補正するものである。
【００１４】
上記分光測定ステップでは、即ち可視光領域及び赤外領域における分光測定結果を取得する。カラー印刷物を光電的に走査する際に、分光測定結果はカラー印刷物における測定位置の情報である分光測定位置に関連付けて取得される事になる。例えば印刷物の長さ方向に移動しながら分光測定する場合には、その移動に際しての変位量と共に当該分光測定結果を保持するように構成する。かかる分光測定結果と分光測定位置との保持は、例えば当該光測定方法を実行する分光測定器に組み込まれたメモリー（記憶手段）、または当該分光測定器に接続されたコンピュータを構成するメモリー（記憶手段）等に保持する事ができる。
【００１５】
そして可視光領域及び赤外領域における分光測定結果を取得する為に、印刷物に照射する光は、可視光領域及び赤外領域の光線を照射する必要があり、例えば当該領域に照射波長域を有するダイオード等の各種の光源を使用する事ができる。
【００１６】
上記黒色インキ成分分光結果取得ステップは、黒色インキの有無とその分光波長を計測するものであり、７８０ｎｍを超える波長領域（即ち赤外領域）にピークが出現するか否かにより、黒色インキを使用しているか否かを確認するものである。分光測定結果で７８０ｎｍを超える波長領域にピークが存在する場合には、黒色インキを使用している事を特定することができ、この７８０ｎｍを超える波長領域にピークが存在しない場合には、黒色インキを使用していない事を特定することができる。よって、この黒色インキ成分分光結果取得ステップでは、少なくとも７８０ｎｍを超える波長領域の光を照射する光源を使用した場合の分光結果を取得する必要があり、これは前記分光測定ステップにおける分光測定結果を使用することができる。そして、前記分光測定ステップにおける分光測定結果は、分光測定位置と関連付けて保持されていることから、この分光測定結果において、７８０ｎｍを超える波長領域（即ち赤外領域）にピークが出現する領域を、この黒色インキ成分分光結果取得ステップ特定すると共に、その領域における分光結果を、黒色インキ成分分光結果として保持する。かかる情報の保持は、前記分光測定器に組み込まれたメモリー（記憶手段）や、分光測定器に接続されたコンピュータを構成するメモリー（記憶手段）等に保持する事ができる。
【００１７】
そして黒色インキ成分基準分光値設定ステップでは、カラー印刷物に使用している黒色インキ固有の分光スペクトルを測定して、これを黒色インキ成分基準分光値とするものである。この黒色インキ成分基準分光値は、カラー印刷物における分光結果から、黒色インキを含有する事に起因する差量を補正する為に使用する事ができる。かかる黒色インキ成分基準分光値としては、分光測定ステップで取得した分光測定結果から、７８０ｎｍを超える波長領域に出現する反射率のピークが最大で、且つ３８０ｎｍ以上で７８０ｎｍ以下の波長領域に出現する反射率のピークの平均値が最も低い分光測定結果を設定する事ができる。例えばこの様な黒色インキ成分基準分光値は、黒色インキだけで印刷領域が構成されている部分から取得する事ができ、黒色インキのみで表現された図形や模様、或いは文字部分から取得する事ができる。即ち、本発明に係る印刷面分光測定方法では、オフセット印刷に於いては、通常は黒色インキだけで印刷される文字部分（テキスト部分）を判別し、且つこの部分を従前におけるカラースケールとして使用する事により、別途カラースケールを用いることなく、より正確に黒色インキによる分光結果への影響を無くす事ができる。なお、文字部分（テキスト部分）を判別することなく、紙面全体を操作して黒色インキによる分光結果への影響を無くす事もできる。
【００１８】
最後に、真正反射率算出ステップでは、上記の各ステップで取得した分光測定結果、黒色インキ成分分光結果、黒色インキ成分基準分光値を使用して、カラー印刷物に於いて黒色インキによる影響を除外した分光結果である真正反射率を算出する事ができる。具体的には、黒色インキが使用されている領域について、黒色インキに起因する反射率のピークの値と、黒色インキ成分基準分光値における反射率のピークの値の比から、黒色インキが使用されている領域における可視光領域での黒色インキによる影響を算出し、これを分光測定結果から除去することにより算出する事ができる。このような演算は、光測定方法を実行する分光測定器に組み込まれた演算装置（又は演算回路）、または当該分光測定器に接続されたコンピュータを構成する演算装置（又は演算回路）等において実行する事ができる。係る演算に際しては、メモリー等に分光測定位置と関連付けて記憶された分光測定結果と、同じく分光測定位置と関連付けて記憶された黒色インキ成分分光結果の読み出しや、分光測定結果又は黒色インキ成分分光結果から算出した黒色インキ成分基準分光値を使用した演算により実行する事ができる。
【００１９】
以上のステップを実行する事により、本発明に係る印刷面分光測定方法では、カラースケールを用いることなく、一回の光電的走査により、黒色インキによる影響を除外したＣ（シアン）、Ｍ（マゼンタ）、Ｙ（イエロー）の配合比及び配合量に基づいた色彩の分光値を取得する事ができる。
【００２０】
また本発明では、前記課題を解決するべく、カラー印刷物に於いて、黒色インキが使用されていない印刷領域を特定し、この黒色インキが使用されていない印刷領域についての分光測定結果を取得する印刷面分光測定方法を提供する。
【００２１】
即ち、黒色インキを含む複数のインキを使用して印刷が施されているカラー印刷物における印刷面を分光測定する方法であって、７８０ｎｍを超える波長領域、特に９００ｎｍ前後における波長領域を含む領域で印刷面の全部または一部を光電的に走査して、測定波長領域内における反射率からなる分光測定結果を、分光測定位置と関連付けて取得する分光測定ステップと、前記分光測定結果から、７８０ｎｍを超える波長領域、特に９００ｎｍ前後における波長領域に出現する反射率のピークの有無を判定して、黒色インキ成分分光結果を分光測定位置と関連付けて取得する黒色インキ成分分光結果取得ステップと、黒色インキ成分分光結果取得ステップで取得した黒色インキ成分分光結果のうち、７８０ｎｍを超える波長領域に出現する反射率のピークが存在しない分光測定位置を特定すると共に、当該分光測定位置に対応する分光測定結果を、前記分光測定ステップで取得した分光測定結果から取得することにより真正反射率を特定する真正反射率算出ステップとからなる印刷面分光測定方法である。
【００２２】
かかる印刷面分光測定方法では、前記した印刷面分光測定方法とは異なり、黒色インキ成分基準分光値として設定する黒色インキ成分基準分光値設定ステップを実施しない点で相違している。即ち、この印刷面分光測定方法では、真正反射率算出ステップにおいて、色インキ成分分光結果取得ステップで取得した黒色インキ成分分光結果のうち、７８０ｎｍを超える波長領域、特に９００ｎｍ前後における波長領域に出現する反射率のピークが存在しない分光測定位置を特定すると共に、当該分光測定位置に対応する分光測定結果を、前記分光測定ステップで取得した分光測定結果から取得することにより真正反射率を特定するものであり、これにより黒色インキ成分基準値の算出を不要とするものである。
【００２３】
従ってこの印刷面分光測定方法では、カラー印刷物に於いて、少なくとも黒色インキが使用されずに印刷されている領域含む必要があり、かつ、この黒色インキが使用されていない領域における分光光度値を取得する必要がある。そして黒色インキが使用されている領域か、黒色インキが使用されていない領域かについては、分光測定時に於いて、赤外項領域におけるピークの有無により判断する事ができる。
【００２４】
よって、この印刷面分光測定方法では、黒色インキが使用されていない領域からのみ、分光測定結果（即ち、真正反射率）を取得する事ができるので、黒色インキによる影響を除外して、カラー印刷物の紙面全体について、分光測定を行う事ができる。
【００２５】
そして上記印刷面分光測定方法では、更に以下の構成を伴う事ができる。
即ち、上記した黒色インキが使用されていない領域についての分光測定結果を取得して、これを真正反射率とする印刷面分光測定方法において、前記黒色インキ成分分光結果取得ステップは、前記分光測定結果から、７８０ｎｍを超える波長領域に出現する反射率のピークが存在する場合に、その反射率からなる黒色インキ成分分光結果を、分光測定位置と関連付けて取得し、更に、前記分光測定結果から、７８０ｎｍを超える波長領域に出現する反射率のピークが最大で、且つ３８０ｎｍ以上で７８０ｎｍ以下の波長領域に出現する反射率のピークの平均値が最も低い分光測定結果を黒色インキ成分基準分光値として設定する黒色インキ成分基準分光値設定ステップを具備し、前記真正反射率算出ステップは、前記分光測定結果から、黒色インキ成分分光結果の７８０ｎｍを超える波長領域に出現する反射率のピークにおける反射率と、黒色インキ成分基準分光値における７８０ｎｍを超える波長領域に出現する反射率のピークにおける反射率との比から、黒色インキ成分分光結果の３８０ｎｍ以上で７８０ｎｍ以下の波長領域に出現する反射率における黒色インキに基づく反射率を算出して、これを黒色インキ成分分光結果の３８０ｎｍ以上で７８０ｎｍ以下の波長領域に出現する反射率から減じて真正反射率を特定する印刷面分光測定方法とすることができる。
【００２６】
また、上記したそれぞれの印刷面分光測定方法では、より正確に印刷面の色調（ＣＭＹの各色インキの配合量や使用量に基づく色調）を分光測定する為に、印刷紙面自体の色調を分光測定し、この印刷紙自体の色も色調の分光測定に際して考慮する方法を提供する。
【００２７】
即ち、上記の印刷面分光測定方法において、更に前記分光測定結果から、７８０ｎｍを超える波長領域に反射率のピークが存在せず、且つ３８０ｎｍ以上で７８０ｎｍ以下の波長領域に出現する反射率のピークの平均値が最も高い分光測定結果を印刷紙基準分光値として設定する印刷紙基準分光値設定ステップを含み、前記分光測定ステップにおける分光測定結果、黒色インキ成分分光結果取得ステップにおける黒色インキ成分分光結果、および真正反射率算出ステップにおける真正反射率の少なくとも何れかから、前記印刷紙基準分光値に基づいて算出した値を減算する印刷面分光測定方法である。
【００２８】
かかる印刷面分光測定方法によれば、印刷紙基準分光値設定ステップにより紙自体の色に基づく分光結果を測定している事から、分光光度測定の結果から、夫々のインキの配合量をより正確に特定する事ができる。
【００２９】
そして本発明では、前記課題の少なくともいずれかの課題を解決する為に、上記の印刷面分光測定方法を利用したカラー印刷物の評価方法を提供する。
即ち、黒色インキを含む複数のインキを使用して印刷が施されているカラー印刷物の評価方法であって、基準となるカラー印刷物における印刷面の分光測定結果と、評価対象となるカラー印刷物における印刷面の分光測定結果との対比によりカラー印刷物の評価が実施され、当該各印刷面の分光測定結果は、前記した本発明に係る印刷面分光測定方法によって測定されるカラー印刷物の評価方法である。
【００３０】
かかるカラー印刷物の評価方法では、上記本発明の印刷面分光測定方法により、黒色インキに起因する分光値の誤差を解消する事ができることから、有彩色インキだけ、即ちＣＭＹの各色インキだけの配合割合や配合量の違いによって、より正確にカラー印刷物を評価する事ができる。
【００３１】
そして本発明では、前記課題の少なくとも何れかを解決する為に、上記の印刷面分光測定方法を実施する分光測定装置を提供する。
即ち、黒色インキを含む複数のインキを使用して印刷が施されているカラー印刷物を分光測定する分光測定装置であって、少なくともカラー印刷物を照射する光源部と、カラー印刷物からの反射光を分光する分光部と、分光部分で取得した分光値に基づいて演算を行う演算処理部とからなり、当該演算処理部は、前記した本発明に係る印刷面分光測定方法を実行するカラー印刷物の分光測定装置である。
【００３２】
かかる分光測定装置においては、上記本発明の印刷面分光測定方法の実行により、黒色インキに起因する分光値の誤差を解消する事ができる、依って有彩色インキ（即ちＣＭＹの各色インキ）自体の分光測定を行う事ができる。
【００３３】
特にこの分光測定装置において、カラー印刷物を照射する光源部は、可視光領域のみならず、赤外項領域の波長の光を照射するものが使用されるべきであり、これは可視光領域の光を照射する光源と、赤外項領域の光を照射する光源を同時に点灯させる事によっても行う事ができる。
【発明の効果】
【００３４】
上記本発明に係る印刷面分光測定方法によれば、可視光域及び赤外光域の光を同時に照射する事により、１回の光電的な走査により、印刷面の一部または全体を分光測定することのできる印刷面分光測定方法が実現する。特に各ステップにおいて分光測定結果、黒色インキ成分分光結果、黒色インキ成分基準分光値を取得し、此れに基づいて黒色インキによる分光結果に対する影響を減じることから、カラースケールを用いることなく、しかも一回の光電的な操作により、有彩色インキにおける印刷部分を分光測定する事ができる。
【００３５】
また、本発明に係る印刷面分光測定方法では、更に印刷紙基準分光値設定ステップを実行し、印刷用紙自体の分光測定結果を保持するように構成する事により、紙などの印刷媒体自体の色又は反射率を基準値として取得し、この基準値を考慮した上で、印刷面を分光するようにした印刷面分光測定方法を提供することができる。これにより、紙などの印刷媒体自体の色又は反射率を考慮した上で、印刷面におけるカラーインキの各色成分の使用量や配合割合をより正確に測定することができる。
【００３６】
そして本発明に係る印刷面分光測定方法では、黒色インキ成分基準分光値設定ステップを実行する事により、黒色インキ自体の色度値グラジエントを正確に測定することができ、此れに基づいて有彩色における分光地を補正する事ができることから、従前におけるカラースケールを用いることなく、カラースケールを用いた場合と同様に、正確な色度値グラジエントを測定する事ができる。
【図面の簡単な説明】
【００３７】
【図１】本実施の形態に係る分光測定装置の走査方法を示す略図である。
【図２】本実施の形態に係る印刷面全体における分光結果を説明する略図である。
【図３】本実施の形態における分光結果を示すグラフである。
【図４】本実施の形態における黒色インキの除去手順の例を示すサンプル図である。
【図５】本実施の形態に係る真正反射率の算出ステップを示すフローチャートである。
【図６】他の本実施の形態に係る真正反射率の算出ステップを示すフローチャートである。
【発明を実施するための形態】
【００３８】
以下、図面を参照しながら本発明に係る印刷面分光測定方法と、これを使用した分光測定装置の具体的な実施の形態を説明する。
【００３９】
先ず、図１を参照しながら本発明に係る印刷面分光測定方法を具体的に示すと、この実施の形態では、印刷面全体を光電的に走査し、当該印刷面全体についての分光結果を取得するように構成されている。即ち、分光測定装置50により、印刷物52の横幅全体について分光測定を実施し、当該分光測定位置を、印刷物52の長さ方向に移動する事により、印刷紙面全体を分光測定できるように構成されている。分光測定位置を印刷物の長さ方向に移動させる方法としては、分光測定装置50を印刷物52に対して移動させる他、分光測定装置50を固定した上で、印刷物52をその長さ方向に移動させる事ができる。
【００４０】
そして本発明に係る印刷面分光測定方法においては、分光測定結果を、分光測定位置と関連付けて取得される事になるが、この分光測定位置の特定に際しては、この分光測定装置50と印刷物52との変位量（相対移動量）も使用される事になる。よって、分光測定装置と印刷物との変位量ごとに、その場所における分光測定結果が、例えば分光測定装置50等に設けられたメモリー等の記憶手段に保持されることになる。
【００４１】
そして、この分光測定装置50と印刷物52との変位量は、１回の分光測定範囲、特に印刷物の長さ方向の距離である事が望ましい。また、分光測定装置又は印刷物を連続的に移動させ、一回の分光測定範囲に対応する印刷物の長さ方向の移動が行われた段階で、発光手段をストロボ状に発光させて分光測定するように構成する事もできる。
【００４２】
そして上記のように印刷物を長さ方向に移動させるか、或いは分光測定装置を印刷物の長さ方向に移動させる事により、印刷物の幅方向全体を一回で分光測定する事ができる。即ち、図２（Ａ）に示すように、印刷物の幅方向全体を一回で分光測定すると、その幅方向の位置（Ｘ方向）に対応する色度値グラジエントを取得する事ができる（図２（Ｂ））。例えば、図２（Ａ）に於いて印刷物の領域αについての色度値グラジエントとして、その対応位置における波長領域毎の反射光の強度を取得する事ができる（図２（Ｂ））。この波長領域毎の反射光の強度は、図２（Ｃ）に示すように、印刷物における幅方向位置毎に、各波長における反射率をデータとして取得する事ができる。かかる波長ごとの反射率のデータは、分光測定に際して使用する光源に可視光及び赤外光を使用する事により、４００ｎｍ以上で１０００ｎｍ以下の波長領域についての反射率を測定する事ができる。
【００４３】
次に、この各波長における反射率のデータから、黒色インキに基づく反射率を除去する事が必要になる。この処理を、図３を参照しながら説明する。
【００４４】
この例では黒色インキとマゼンタインキとにより描かれた印刷物を分光測定する場合を示しており、分光測定ステップにおいて、可視光及び赤外項領域の光（４００ｎｍ〜１０００ｎｍ）を照射して、黒色インキとマゼンタインキとが混在している領域における分光測定結果を取得する。特に、この図３（Ａ）において「ＢＫ含むマゼンタ」で示される黒色インキとマゼンタインキとが混在している領域における分光測定結果では、７８０ｎｍを超える波長領域、より詳細には９６０ｎｍ近傍に、反射光のピークが出現している事から、その領域の着色には黒色インキが使用されている事を確認する事ができる。
【００４５】
次に、例えば文字部分などのように、黒色インキだけで描画された領域から黒色インキ自体の色度値グラジエントである黒色インキ成分基準分光値を取得する。黒色インキだけで描画されているか否かは、印刷物全体を分光した結果から、７８０ｎｍを超える波長領域に出現する反射率のピークが最大で、且つ３８０ｎｍ以上で７８０ｎｍ以下の波長領域に出現する反射率のピークの平均値が最も低い分光測定結果を特定し、これを黒色インキ成分基準分光値として設定することができる。その結果、黒色インキ成分基準分光値の測定結果は、図３（Ｂ）に「ブラックインキのみ」と示したように取得する事ができる。
【００４６】
そして、この黒色インキ成分基準分光値における７８０ｎｍを超える波長領域に出現する反射率のピークに基づいて、黒色インキとマゼンタインキとが混在している領域における分光測定結果における７８０ｎｍを超える波長領域に出現する反射率のピークから、黒色インキの影響を算出し、当該黒色インキの影響を減じる事により、図３（Ａ）に「ソリッド・マゼンタ」として示すようなマゼンタインキだけの成分についての真正反射率を算出する事ができる。
【００４７】
そしてこの演算を、分光測定を実施したすべての波長領域、少なくとも３５０ｎｍ〜８００ｎｍの範囲について行う事により、印刷面全体についての真正反射率を算出する事ができる。
【００４８】
また図４は、本実施の形態における黒色インキの除去手順の例を示すサンプル図であり、この図では黒色インキによる影響のみならず、用紙の反射率も考慮して印刷面の分光測定を行う例を示している。即ち、シアンインキ部分（Ｃ）の網点の割合が２０％、マゼンタインキ部分（Ｍ）の網点の割合が６０％、イエローインキ部分（Ｙ）の網点の割合が４０％、黒色インキ部分（Ｂ）の網点の割合が１０％であり、用紙自体の反射率が９０％であるとすると、シアンインキ部分の反射率は、「シアンインキ部分の用紙相対反射率（１−0.2）」と、「黒色インキ部分の用紙相対反射率（１−0.1）」と、「用紙の反射率（0.9）」との積によって算出する事ができ、前記の例では「0.8×0.9×0.9＝0.648」となる。したがって、シアン波長域の反射率、用紙反射率、黒色インキ用紙相対反射率から、シアンインキ部分の用紙相対反射率を求める事ができる。
【００４９】
上記の処理において、印刷物における１回の光電的操作の範囲は、印刷媒体の長さ方向に約２ｍｍ程度とする事ができ、印刷物の幅方向については、当該印刷物における少なくとも印刷面の幅方向全体をカバーするように設定する事ができる。１回の読み取りにおける長さ方向の距離を約２ｍｍとすることにより、一般的な印刷物に使用されている８ポイント以上の文字に於いても、「１，４」等の数字、或いは「申、門、田、肺、Ｉ、Ｈ、Ｌ、Ｆ」等の文字のように、縦方向の直線を有する文字等から、黒色インキだけで塗られた領域の反射率、即ち黒色インキ成分基準分光値を取得する事ができる。
【００５０】
また、印刷媒体に対する光の照射は、印刷媒体の幅方向全体に均等に照射するように構成する事が望ましく、例えば、印刷物の幅方向に均等間隔でＬＥＤ等を配置する事ができる。また印刷物に対する光の照射は、印刷面に対して鉛直方向から照射する事が望ましいが、当該鉛直方向に分光測定の為の光の取り入れ口（レンズなど）が配置されている場合には、紙面に対する照射角度を４５〜１３５°の範囲で適宜設定する事ができる。
【００５１】
次に、図５を参照しながら、上記印刷面分光測定方法の処理手順を説明する。先ずカラー印刷物の分光処理の開始により、印刷面の全体又は所定の領域について光電的な走査を実行する（Ｓ１０）。これにより印刷物全体についての分光測定結果を取得し（Ｓ１１）、これをメモリー（記憶手段）に保持する。そして、記憶手段に記憶した分光測定結果における色度値グラジエントから、黒色インキだけで描かれている領域を特定して、その領域における分光測定結果を黒色インキ成分基準分光値として設定し（Ｓ１２）、メモリーに保持する。この時、黒色インキ成分基準分光値の特定に際しては、赤外項領域にピークが出現し、且つ可視光領域における反射率の平均値が最も低い領域を黒色インキ成分基準分光値とすることができる。
【００５２】
そして、メモリーに保持した分光測定結果を読み出し、それぞれの領域について、赤外光領域に反射率のピークが出現している領域（即ち、黒色インキが使用されている領域）か否かを判定し（Ｓ１３）、黒色インキが使用されている場合には、その領域における黒色インキのピーク値（７８０ｎｍを超える波長領域に出現する反射率のピーク）を抽出して（Ｓ１４）、当該領域における分光測定結果に対して、前記黒色インキ成分基準分光値に基づいて、黒色インキによる影響を除去する（Ｓ１５）。これにより当該領域についての真正反射率を取得する（Ｓ１６）。一方、メモリーに保持した分光測定結果のうち、赤外光領域に反射率のピークが出現していない領域については、黒色インキ成分基準分光値に基づく補正処理を実施することなく、当該分光測定結果を真正反射率とする（Ｓ１６）。
【００５３】
これにより、印刷物全体について、黒色インキによる色度値グラジエントへの影響を除去した真正反射率を取得する事ができる。
【００５４】
次に、図６を参照しながら、他の実施の形態に係る印刷面分光測定方法の処理手順を説明する。特にこの例における印刷面分光測定方法では、黒色インキを含む印刷領域の分光結果を切り捨てる事により、黒色インキ成分基準分光値による補正の手間を無くして印刷物を評価できるようにしたものである。
【００５５】
即ち、最初にカラー印刷物の分光処理の開始により、印刷面の全体又は所定の領域について光電的な走査を実行し（Ｓ２０）、印刷物全体についての分光測定結果を取得し（Ｓ２１）、これをメモリー（記憶手段）に保持する。そして、記憶手段に記憶した分光測定結果における色度値グラジエントから、黒色インキを含んで描かれている領域か否かを判断し（Ｓ２２）、黒色インキが使用されている領域と判断された場合には、その領域を、分光測定位置の情報に基づいて分光測定結果を前記分光測定結果から除去する（Ｓ２３）。これにより、黒色インキが使用されていない領域だけを特定し（Ｓ２４）、この黒色インキが使用されていない領域についての分光測定結果を真正反射率として取得することができる（Ｓ２５）。なお、黒色インキが使用されている領域の特定は、赤外項領域に反射率のピークが存在する領域として特定する事ができる。
【００５６】
そして以上の様な処理手順を実施する事により取得された真正反射率は、カラー印刷物の色合いを評価する為に使用する事ができる。例えば、基準となる印刷物（原本）との比較における、オフセット印刷した印刷物におけるＣＭＹインキの配合割合や配合量を調整する為に使用するパラメータとする事ができる。
【００５７】
また、上記の処理手順を実行する分光装置を構成する事により、カラースケールを用いることなく、より正確にカラー印刷物の色を分光測定する事ができる。かかる分光装置では、上記の処理をプログラムによって実施するように構成すれば良く、レンズや分光器等は、従前の分光器と略同様に構成する事ができる。なお、上記書類手順を実行するプログラムは分光装置が備える他、当該分光装置から分光測定結果を取得するように構成された外部のコンピュータが備えていても良い。
【符号の説明】
【００５８】
50    分光測定装置
52    印刷物
α    分光領域
【図１】
2014092368.tif 000003
【図２】
2014092368.tif 000004
【図３】
2014092368.tif 000005
【図４】
2014092368.tif 000006
【図５】
2014092368.tif 000007
【図６】
2014092368.tif 000008